(57)【要約】【課題】  鴨居の溝内における扉の上端部の前後位置を調整可能にする引戸の前後位置の調整構造を提供すること。【解決手段】  鴨居２の溝３の少なくとも一方の内側面４、５に厚み調整可能な調整部材６、７が設けられ、鴨居の溝内における扉１の上端部の位置に応じて調整部材の厚みを調整し、扉の上端部の前後位置を調整する。【選択図】図１
2007056596.tif 000002
【特許請求の範囲】
【請求項１】
鴨居の溝の少なくとも一方の内側面に厚み調整可能な調整部材が設けられ、鴨居の溝内における扉の上端部の位置に応じて調整部材の厚みを調整し、扉の上端部の前後位置を調整することを特徴とする引戸の前後位置の調整構造。
【請求項２】
調整部材は、薄板が粘着手段により複数枚積層されて形成され、薄板を剥がすことにより厚みが減じられる請求項１記載の引戸の前後位置の調整構造。
【請求項３】
剥がされた薄板は、鴨居の溝の他方の内側面または鴨居の溝の他方の内側面に設けられた調整部材に貼り付けられる請求項２記載の引戸の前後位置の調整構造。
【請求項４】
薄板は、芯が軟質材により形成され、軟質材の表面に硬質材が配設され、裏面に粘着材が配設されたものである請求項２または３記載の引戸の前後位置の調整構造。
【発明の詳細な説明】
【技術分野】
【０００１】
本願発明は、鴨居の溝内における扉の上端部の前後位置を調整する引戸の前後位置の調整構造に関する。
【背景技術】
【０００２】
従来、図３に示したように、引戸２１においては、片引き式のものでは扉２２と方立てとの間に、また、引き違い式のものでは扉同士２２、２３の間に隙間ｃを形成し、扉２２、２３の円滑な開閉を可能にしている。隙間ｃは、扉２２、２３の上端部を案内する鴨居および下端部に設けられる戸車が走行するレールによって大きさが調整されて形成される。扉２２、２３の下端部の位置はレールにより一義的に決まるため、鴨居に形成される溝の幅をやや大きめに取り、扉２２、２３の上端部の鴨居の溝内における位置に自由度を持たせている。
【０００３】
特許文献１には、鴨居に形成された溝の内側面の端部に戸首を横方向から押圧するストッパーが設けられる引戸構造が記載されている。この引戸構造では、ストッパーは、扉を閉める際に、戸首の側面を押圧して扉を減速させて停止させ、縦枠に扉が衝突したり、衝突して跳ね返ったりするのを防止する。
【特許文献１】特開平１０−１０２８９７号公報
【発明の開示】
【発明が解決しようとする課題】
【０００４】
扉を閉じた状態では、上記ストッパーにより扉のがたつきが防止されると考えられるが、ストッパーは、鴨居の溝内での扉の上端部の位置を調整しない。扉２２、２３の上端部の鴨居の溝内における位置、具体的には、図３に示した前後方向ｘの位置は調整されない。このため、建付け時や、経年変化により扉２２、２３に寸法の狂いが生じるなどの場合には、扉２２、２３の上端部が鴨居に形成された溝の内側面に接触することがある。この接触によって、引戸は引きにくくなる。
【０００５】
本願発明は、このような事情に鑑みてなされたものであり、鴨居の溝内における扉の上端部の前後位置を調整可能にする引戸の前後位置の調整構造を提供することを課題としている。
【課題を解決するための手段】
【０００６】
本願発明は、上記の課題を解決するために、第１に、鴨居の溝の少なくとも一方の内側面に厚み調整可能な調整部材が設けられ、鴨居の溝内における扉の上端部の位置に応じて調整部材の厚みを調整し、扉の上端部の前後位置を調整することを特徴としている。
【０００７】
本願発明は、第２に、調整部材は、薄板が粘着手段により複数枚積層されて形成され、薄板を剥がすことにより厚みが減じられることを特徴としている。
【０００８】
本願発明は、第３に、剥がされた薄板は、鴨居の溝の他方の内側面または鴨居の溝の他方の内側面に設けられた調整部材に貼り付けられることを特徴としている。
【０００９】
本願発明は、第４に、薄板は、芯が軟質材により形成され、軟質材の表面に硬質材が配設され、裏面に粘着材が配設されたものであることを特徴としている。
【発明の効果】
【００１０】
本願の第１の発明によれば、鴨居の溝の少なくとも一方の内側面に厚み調整可能な調整部材が設けられるので、建付けによりばらつき、また、反りによって変化する扉の上端部の位置を鴨居の溝内において適正なものにすることができる。鴨居の溝内における扉の上端部の前後位置を調整することができる。
【００１１】
本願の第２の発明によれば、調整部材を形成する薄板を剥がすことにより調整部材の厚みが減じられるので、調整部材の厚み調整を簡便に行うことができる。
【００１２】
本願の第３の発明によれば、剥がした薄板は廃棄するばかりでなく、鴨居の溝の他方の内側面または鴨居の溝の他方の内側面に設けられた調整部材に貼り付けることができ、扉の上端部の前後位置の調整に有効に用いることができる。
【００１３】
本願の第４の発明によれば、扉が何らかの理由で調整部材に接触しても、その時の振動や音を軟質材が吸収し、軽減させることができ、硬質材は耐磨耗性を高める。
【発明を実施するための最良の形態】
【００１４】
図１は、本願発明の引戸の前後位置の調整構造の一実施形態を示した要部断面図である。
【００１５】
図１に示したように、引戸において、扉１の上端部は、建付けや経年変化による反りなどによって必ずしも鴨居２の溝３の中央部に位置するとは限らない。溝３の幅は扉１の厚みより通常大きくされていて、扉１の上端部が溝３の内側面４、５に接触することはないが、扉１の上端部は溝３内において前後いずれかの側に偏って配置されることがある。
【００１６】
そこで、図１に示した引戸の前後位置の調整構造では、鴨居２の溝３の内側面４、５に、溝３内における扉１の上端部の位置を調整する調整部材６、７が配設されている。調整部材６、７は、複数枚の薄板８が粘着手段により積層されて形成されている。調整部材６、７は、また、薄板８の積層に用いられる粘着手段によって鴨居２の溝３の内側面４、５に貼着されている。さらに、調整部材６、７では、薄板８は１枚ずつ引き剥がすことができ、引き剥がした後の調整部材６、７の表面には粘着手段が残らず、引き剥がした薄板８は再度の粘着が可能になっている。
【００１７】
扉１を建て込んだ時、上端部が、鴨居２の溝３内において前後いずれか一方の側に偏った場合、図１に示したように、偏った側の調整部材６から薄板８を剥がし、調整部材６の厚みを減じる。この時の調整部材６の厚みの減少により、扉１の上端部と調整部材６との間の間隔が広がり、溝３内における扉１の上端部の位置が調整される。剥がした薄板８は、廃棄することができる他、再度の粘着が可能であるため、たとえば、調整部材７に貼り付けることもできる。この場合、図１に示したように、扉１の上端部を調整部材６、７から等間隔に位置させることが可能である。
【００１８】
このように、粘着手段によって積層された薄板８の剥離により調整部材６、７の厚みは減じられ、この厚みの減少によって、扉１の上端部と調整部材６、７との間の間隔が変化し、溝３内における扉１の上端部の前後位置を調整することができ、扉１の上端部の前後位置の調整が容易に実現される。また、調整部材６、７は、薄板８の粘着手段による積層により形成された構造が簡単なものであり、しかも、鴨居２に取り付けられるものであるため、扉１に部材を設けたり、加工を施したりする必要はない。したがって、溝３内における扉１の上端部の前後位置の調整を安価に実現することができる。さらに、剥がした薄板８は、他方の調整部材７に貼り付けることができるため、扉１の上端部の前後位置の調整に有効に利用することができる。
【００１９】
図１に示した引戸の前後位置の調整構造を用いて引戸を施工する際には、たとえば次の手順にしたがって施工を行うことができる。
【００２０】
まず、鴨居２の溝３の内側面４、５に、薄板８が同じ枚数積層された調整部材６、７を、薄板８の積層に用いられた粘着手段と同じ粘着手段によって配設する。調整部材６、７は、鴨居２の全長にわたって設けても、扉１の横幅より狭いピッチで断続的に設けてもよい。後者の場合、調整部材６、７は互いに対向して設けるのが好ましい。次いで、鴨居２を所定の位置に固定する。この後、扉１を、上端部を鴨居２の溝３に差し込んで建て込む。扉１の上端部が前後いずれかの側に偏る場合には、扉１を一旦取り外した後、偏る側の調整部材６から薄板８を剥がし、厚みを減じる。剥がした薄板８は、廃棄したり、他方の調整部材７に貼り付けたりする。そして、扉１を再度建て込む。扉１の上端部は、鴨居２の溝３の内側面４、５に配設された調整部材６、７に接触することはなく、扉１は、方立てと、また、別の扉との間に適当な隙間を隔てて建て込まれる。
【００２１】
また、施工状態において、経年変化により扉１に反りが生じた場合には、上端部が接近する調整部材６、７のいずれかから薄板８を剥がし、溝３内における扉１の上端部の前後位置を調整する。
【００２２】
なお、本願発明の引戸の前後位置の調整構造では、調整部材は必ずしも鴨居の溝の内側面の両方に設ける必要はなく、片側のみであってもよい。調整部材を片側のみ設ける場合、扉が偏る側に調整部材を設け、扉の上端部の前後位置の調整に際して剥がした薄板は、調整部材が配設されていない側の溝の内側面に貼着することができる。溝の内側面の両方に設ける場合には、調整部材を形成する薄板の枚数は異なっていてもよい。また、調整部材を鴨居の溝の内側面に固定する手段として、薄板の積層に用いられる粘着手段に替え、接着剤を用いることができる。
【００２３】
さらに、調整部材は、薄板の単板とすることもできる。鴨居の溝の内側面の片方または両方に貼着することができる。薄板の単板である調整部材は、引き剥がすことにより鴨居の溝の内側面より取り除くことができる。取り除いた調整部材は、廃棄することができる他、鴨居の溝の他方の内側面または鴨居の溝の他方の内側面に設けられた調整部材に貼着することができる。
【００２４】
図２は、調整部材を形成する薄板の一形態を拡大して示した断面図である。
【００２５】
図２に示した薄板８は、芯が軟質材９により形成されている。軟質材９の表面には硬質材１０が配設され、裏面には粘着材１１が配設されている。軟質材９、硬質材１０は、たとえばともに樹脂製とすることができ、軟質材９は、発泡体とすることができる。粘着材１１は、薄板８を剥がした時に、調整部材６、７の表面や溝３の内側面４、５に全く残らず、薄板８の裏面に貼り付いたままの状態を維持することのできるものとしている。また、粘着材１１は、薄板８の剥離後にも粘着力を維持し、再度の粘着を可能としている。
【００２６】
このような薄板８では、軟質材９によって、扉１が何らかの理由で調整部材６、７に接触しても、その時の振動や音を吸収し、軽減させることができる。硬質材１０は耐磨耗性を高め、扉１との接触によって調整部材６、７の表面が傷付くのを抑制する。
【図面の簡単な説明】
【００２７】
【図１】本願発明の引戸の前後位置の調整構造の一実施形態を示した要部断面図である。
【図２】薄板の一形態を拡大して示した断面図である。
【図３】引戸の概要を示した断面図である。
【符号の説明】
【００２８】
１    扉
２    鴨居
３    溝
４、５    内側面
６、７    調整部材
８    薄板
９    軟質材
１０    硬質材
１１    粘着材
【図１】
2007056596.tif 000003
【図２】
2007056596.tif 000004
【図３】
2007056596.tif 000005